(57)【特許請求の範囲】
【請求項１】
ガスバーナーで加熱されることによって温水を生成する熱交換器と、
前記ガスバーナーに燃焼用の空気を供給する燃焼ファンと、
前記熱交換器から導出された温水を、循環回路を介して該熱交換器に循環させる循環ポンプと、
前記循環回路に接続されて前記温水の熱を放熱する温水端末と、
を有する温水暖房装置において、
前記熱交換器の上流側の前記循環回路には、該循環回路を介して該熱交換器に供給される温水の温度を検出する上流側温度検出手段が設けられ、
前記熱交換器の下流側の前記循環回路には、該熱交換器から導出された温水の温度を検出する下流側温度検出手段が設けられており、
前記ガスバーナーの非燃焼時に前記循環ポンプを作動させて、前記熱交換器の上流側および下流側での湯水の温度差を検出する温度差検出手段と、
前記温度差が所定の閾値温度以上の場合に、前記上流側温度検出手段または前記下流側温度検出手段の少なくとも一方が異常であると判定する異常判定手段と、
を備え、
前記温度差検出手段は、前記ガスバーナーの燃焼停止後から所定の第１閾値時間が経過する前に前記温度差を検出する場合には、該温度差の検出前に前記燃焼ファンを作動させる手段である
ことを特徴とする温水暖房装置。
【請求項２】
請求項１に記載の温水暖房装置において、
前記温度差検出手段は、前記循環ポンプを作動させてから前記第１閾値時間よりも短い所定の第２閾値時間が経過した後に前記温度差を検出すると共に、該第２閾値時間の経過時に前記燃焼ファンが作動していた場合には、該燃焼ファンの作動停止後に前記温度差を検出する手段である
ことを特徴とする温水暖房装置。
【請求項３】
請求項２に記載の温水暖房装置において、
前記温度差検出手段は、前記燃焼ファンの作動を停止させてから所定の第３閾値時間が経過した後に前記温度差を検出する手段である
ことを特徴とする温水暖房装置。
【発明の詳細な説明】
【技術分野】
【０００１】
本発明は、温水端末に温水を供給して暖房等を行う温水暖房装置に関する。
【背景技術】
【０００２】
ガスバーナーで加熱した熱交換器に水を通して温水を生成し、得られた温水（湯）を給湯する給湯装置が知られている。この給湯装置では、出湯管に設けられたカランが開かれると熱交換器への給水が開始され、ガスバーナーで燃焼が開始されて温水が生成される。熱交換器の上流側および下流側にはそれぞれ温度センサーが設けられており、上流側の温度センサーで検出された給水温度や、下流側の温度センサーで検出された出湯温度などに基づいて、ガスバーナーへの燃料ガスの供給量が制御される。
【０００３】
ここで、燃料ガスの供給量を適切に制御するためには、熱交換器への給水温度および熱交換器からの出湯温度を正確に検出する必要があり、そのためには、熱交換器の上流側および下流側の温度センサーが何れも正常に動作していることが重要である。そこで、ガスバーナーの運転が停止されて、加熱されていた温水の温度が常温まで低下する程度の時間が経過したら、熱交換器の上流側および下流側で検出した温度を比較することによって、温度センサーの異常の有無を判定する技術が提案されている（特許文献１）。
【０００４】
また、熱交換器をガスバーナーで加熱することによって温水を生成し、得られた温水を温水端末に導いて暖房等を行った後、循環ポンプを用いて熱交換器に還流させる温水暖房装置も知られている。この温水暖房装置においても、熱交換器の上流側および下流側にはそれぞれ温度センサーが設けられており、これら温度センサーで検出した温度差に基づいて、ガスバーナーへの燃料ガスの供給量が制御されている（特許文献２）。
【先行技術文献】
【特許文献】
【０００５】
【特許文献１】特開平１１−３１６０２９号公報
【特許文献２】特開２００７−１０７８４２号公報
【発明の概要】
【発明が解決しようとする課題】
【０００６】
しかし、温水暖房装置では、熱交換器の上流側および下流側に設けられた温度センサーでの異常の有無を判定する適切な方法が知られていなかった。もちろん、上記の特許文献１のように、ガスバーナーの運転が停止された後、温水の温度が常温まで冷める程度の時間が経過してから、２つの温度センサーで検出した温度を比較することは可能であるが、この方法では温度センサーの異常の有無を判定するために長い時間が必要となるので適切な方法ではない。
【０００７】
この発明は、従来の技術が有する上述した課題に対応してなされたものであり、温水を循環させて暖房を行う温水暖房装置で、熱交換器の上流側および下流側に設けられた温度センサーについての異常の有無を、短時間で判定可能な技術の提供を目的とする。
【課題を解決するための手段】
【０００８】
上述した課題を解決するために、本発明の温水暖房装置は次の構成を採用した。すなわち、
ガスバーナーで加熱されることによって温水を生成する熱交換器と、
前記ガスバーナーに燃焼用の空気を供給する燃焼ファンと、
前記熱交換器から導出された温水を、循環回路を介して該熱交換器に循環させる循環ポンプと、
前記循環回路に接続されて前記温水の熱を放熱する温水端末と、
を有する温水暖房装置において、
前記熱交換器の上流側の前記循環回路には、該循環回路を介して該熱交換器に供給される温水の温度を検出する上流側温度検出手段が設けられ、
前記熱交換器の下流側の前記循環回路には、該熱交換器から導出された温水の温度を検出する下流側温度検出手段が設けられており、
前記ガスバーナーの非燃焼時に前記循環ポンプを作動させて、前記熱交換器の上流側および下流側での湯水の温度差を検出する温度差検出手段と、
前記温度差が所定の閾値温度以上の場合に、前記上流側温度検出手段または前記下流側温度検出手段の少なくとも一方が異常であると判定する異常判定手段と、
を備え、
前記温度差検出手段は、前記ガスバーナーの燃焼停止後から所定の第１閾値時間が経過する前に前記温度差を検出する場合には、該温度差の検出前に前記燃焼ファンを作動させる手段である
ことを特徴とする。
【０００９】
かかる本発明の温水暖房装置においては、ガスバーナーが燃焼していない状態で循環ポンプを作動させて、循環回路に温水を循環させる。そして、熱交換器の上流側での温水の温度と、熱交換器の下流側での温水の温度とを検出し、それら温度の温度差が所定の閾値温度以上であった場合に、上流側温度検出手段または下流側温度検出手段の少なくとも一方が異常であると判定する。更に、ガスバーナーの燃焼停止後から所定の第１閾値時間が経過する前に、上流側での温度と下流側での温度との温度差を検出する場合には、温度差を検出する前に燃焼ファンを作動させる。
【００１０】
ガスバーナーが燃焼していない状態では、循環ポンプを作動させることによって循環回路内の温水の温度を均一化することができる。従って、上流側温度検出手段および下流側温度検出手段が何れも正常であれば、ほぼ同じ温度を検出すると考えられる。このことから、上流側温度検出手段で検出した温度と、下流側温度検出手段で検出した温度との温度差を検出して、その温度差と所定の閾値温度とを比較することによって、上流側温度検出手段または下流側温度検出手段の少なくとも一方に異常が発生していることを検出することができる。
【００１１】
もちろん、ガスバーナーの燃焼が停止しているので、循環ポンプを作動させなくても、自然冷却によって循環回路内の温水の温度は均一化する。しかし、自然冷却によって温水の温度が均一化されるまでには長い時間がかかるのに対し、循環ポンプを作動させて温度を均一化するのであれば、温水の温度が下がらなくても良いので短時間で均一化することができる。このため、上流側温度検出手段および下流側温度検出手段の異常の有無を短時間で判定することが可能となる。また、ガスバーナーの燃焼が停止してからの経過時間が第１閾値時間に満たない場合には、ガスバーナーの燃焼を停止させたまま燃焼ファンを作動させることによって、燃焼ファンからの空気で熱交換器を冷却する。熱交換器が冷めていた方が、循環ポンプで循環させた時に循環回路内の温水の温度が均一化しやすいので、こうすることによって循環回路内の温水の温度をより一層均一化させることができ、異常の有無を正確に判定することができる。
【００１２】
尚、本発明の温水暖房装置に設けられた温水端末は、熱交換器で加熱された温水の供給を受けて温水の熱を放熱させることによって、暖房あるいは追い焚きなどの機能を実現するものである。
【００１３】
また、かかる本発明の温水暖房装置においては、循環ポンプを作動させてから、第２閾値時間（但し、第１閾値時間よりも短い時間）が経過してから、温度差を検出することとしてもよい。そして、第２閾値時間が経過した時に燃焼ファンが作動していた場合には、燃焼ファンの作動を停止させてから温度差を検出しても良い。
【００１４】
循環ポンプを第２閾値時間、作動させれば循環回路内の温水の温度を均一化させることができるので、上流側温度検出手段または下流側温度検出手段の異常の有無を正しく判定することができる。また、熱交換器を冷却するために燃焼ファンを作動させた場合でも、温度差を検出する前に燃焼ファンの作動を停止させるので、燃焼ファンからの風の当たり方の違いによって熱交換器内で温水に温度差が発生してしまい、温水の温度を十分に均一化できなくなる事態を回避することができる。
【００１５】
また、上述したように、燃焼ファンの作動を停止させてから温度差を検出する本発明の温水暖房装置においては、燃焼ファンの作動を停止させてから所定の第３閾値時間が経過した後に、温度差を検出することによって、異常の有無を判定してもよい。
【００１６】
こうすれば、燃焼ファンからの風の当たり方の違いで熱交換器の内部の温水に温度差が発生していた場合でも、温度差が解消された状態で上流側の温度および下流側の温度を検出することができるので、異常の有無を正しく判定することが可能となる。
【図面の簡単な説明】
【００１７】
【図１】本実施例の温水暖房装置の構成を示す説明図である。
【図２】熱交換器の上流側および下流側に設けられた温度センサーの異常の有無を判定する処理の前半部分を示すフローチャートである。
【図３】熱交換器の上流側および下流側に設けられた温度センサーの異常の有無を判定する処理の後半部分を示すフローチャートである。
【図４】変形例の温水暖房装置を示す説明図である。
【発明を実施するための形態】
【００１８】
図１は、本実施例の温水暖房装置１の構成を示す説明図である。図示されるように温水暖房装置１は、ガスバーナー１０や、ガスバーナー１０によって加熱される熱交換器２０や、熱交換器２０で生成された温水を循環させる循環ポンプ２２や、熱交換器２０で生成された温水が流出する往通路２４ａや、熱交換器２０に温水が流入する戻通路２４ｂなどから構成されている。尚、以下では、往通路２４ａおよび戻通路２４ｂをまとめて循環回路２４と呼ぶことがある。循環回路２４には、浴室暖房装置などの高温端末２や、床暖房装置などの低温端末３や、シスターン２６や、低温暖房端末弁２８や、暖房バイパス弁３０などが接続されている。また、往通路２４ａには、熱交換器２０から流出した温水の温度を検出する高温温度センサー３２が設けられており、戻通路２４ｂには、熱交換器２０に流入する温水の温度を検出する低温温度センサー３４が設けられている。尚、本実施例では、高温温度センサー３２が本発明の「下流側温度検出手段」に対応し、低温温度センサー３４が本発明の「上流側温度検出手段」に対応する。また、暖房バイパス弁３０が本発明の「バイパス弁」に対応する。
【００１９】
ガスバーナー１０には、ガス電磁弁１２を介して燃料ガスが供給され、供給された燃料ガスは、暖房用燃焼ファン１４によって供給される空気と混合して、図示しない点火プラグで点火されることによって燃焼する。また、温水暖房装置１には、全体の動作を制御するコントローラ４０も搭載されており、高温温度センサー３２や低温温度センサー３４で検出された温度はコントローラ４０に入力される。コントローラ４０は、これら温度センサーの出力を初めとする種々の情報に基づいて、ガス電磁弁１２や、低温暖房端末弁２８、暖房バイパス弁３０などの電磁弁、あるいは暖房用燃焼ファン１４、更には図示しない点火プラグなどの動作を制御する。
【００２０】
この温水暖房装置１は、次のようにして動作する。先ず、高温端末２の運転スイッチ（図示は省略）が「入」になると、高温端末２に内蔵された図示しない弁が開弁して高温端末２内を温水が通過可能となる。続いて、コントローラ４０が循環ポンプ２２および暖房用燃焼ファン１４を回転させ、ガス電磁弁１２を開いて点火プラグで火花を飛ばすことによって、ガスバーナー１０での燃焼を開始する。すると、熱交換器２０で生成された温水が往通路２４ａを介して高温端末２に供給され、高温端末２で放熱して冷やされた温水は、シスターン２６に一旦流入した後、循環ポンプ２２によって戻通路２４ｂから熱交換器２０に戻される。また、高温端末２の運転中は、高温温度センサー３２および低温温度センサー３４で検出された温度に基づいて、コントローラ４０が燃料ガスの供給量や、暖房用燃焼ファン１４の回転速度を制御する。そして、高温端末２の運転スイッチが「切」になると、コントローラ４０がガス電磁弁１２を閉じてガスバーナー１０の燃料を停止させ、続いて暖房用燃焼ファン１４および循環ポンプ２２を停止させる。
【００２１】
一方、低温端末３の運転スイッチ（図示は省略）が「入」になった場合は、コントローラ４０が低温暖房端末弁２８を開いて、循環ポンプ２２および暖房用燃焼ファン１４を回転させる。そして、ガス電磁弁１２を開いて、図示しない点火プラグで火花を飛ばすことによって、ガスバーナー１０での燃焼を開始する。すると、循環ポンプ２２によってシスターン２６から熱交換器２０に戻される前の温水の一部が、低温暖房端末弁２８を介して低温端末３に供給される。また、高温端末２の運転スイッチが「切」になっている場合は、暖房バイパス弁３０が少しだけ開いた状態となり、往通路２４ａから流出した温水が暖房バイパス弁３０を介してシスターン２６に供給されて、シスターン２６内の温水の温度が低温端末３に適した温度に保たれる。例えば、低温温度センサー３４で検出した温水の温度（シスターン２６内の温水の温度にほぼ等しい）が低い場合は、暖房バイパス弁３０の開度を少しだけ増加させる。すると、熱交換器２０に循環する温水の流量が増加して、シスターン２６内の温水の温度が上昇する。逆に低温温度センサー３４で検出した温水の温度（シスターン２６内の温水の温度）が高い場合は、暖房バイパス弁３０の開度を減少させる。すると、熱交換器２０を通らずに低温端末３に供給される温水の流量が増加し、低温端末３で冷やされることによってシスターン２６内の温水の温度が低下する。また、この間のガスバーナー１０への燃料ガスの供給量や暖房用燃焼ファン１４の回転速度は、高温温度センサー３２および低温温度センサー３４で検出された温度などに基づいてコントローラ４０によって制御されている。そして、低温端末３の運転スイッチが「切」になると、コントローラ４０がガス電磁弁１２および低温暖房端末弁２８を閉じ、暖房用燃焼ファン１４および循環ポンプ２２を停止する。
【００２２】
以上のように温水暖房装置１では、高温温度センサー３２および低温温度センサー３４で検出した温水の温度に基づいて、燃料ガスの供給量や、暖房用燃焼ファン１４、暖房バイパス弁３０などが制御されている。従って、高温温度センサー３２および低温温度センサー３４の特性がずれると、温水暖房装置１を正常に運転することができなくなる。そこでコントローラ４０は以下のような処理を行うことにより、高温温度センサー３２および低温温度センサー３４の異常の有無を判定している。
【００２３】
Ｂ．温度センサー異常判定処理  ：
図２および図３は、本実施例の温水暖房装置１が高温温度センサー３２および低温温度センサー３４の異常の有無を判定するために行う温度センサー異常判定処理のフローチャートである。この処理は、コントローラ４０によって行われる。温度センサー異常判定処理を開始すると、コントローラ４０はガスバーナー１０が燃焼中であるか否かを判断する（ＳＴＥＰ１０）。その結果、ガスバーナー１０が燃焼中であった場合は（ＳＴＥＰ１０：ｙｅｓ）、高温温度センサー３２および低温温度センサー３４の異常の有無を判定せずに、図２および図３の温度センサー異常判定処理を終了する。
【００２４】
これに対して、ガスバーナー１０が燃焼中では無かった場合は（ＳＴＥＰ１０：ｎｏ）、燃焼が終了してから第１閾値時間が経過したか否かを判断する（ＳＴＥＰ１２）。コントローラ４０には図示しないタイマーが内蔵されており、ガスバーナー１０の燃焼が終了してからの経過時間が計時されている。このためコントローラ４０は、第１閾値時間が経過したか否かを判断することができる。また、第１閾値時間は、ガスバーナー１０で加熱されていた熱交換器２０が常温まで自然に冷える程度の時間（例えば１０分）に設定されている。その結果、第１閾値時間が経過していない場合は（ＳＴＥＰ１２：ｎｏ）、熱交換器２０の冷却を促進するべく、暖房用燃焼ファン１４の駆動を開始する（ＳＴＥＰ１４）。一方、第１閾値時間が経過していると判断した場合は（ＳＴＥＰ１２：ｙｅｓ）、暖房用燃焼ファン１４の駆動は開始しない。
【００２５】
そして、循環ポンプ２２の駆動を開始して（ＳＴＥＰ１６）、暖房バイパス弁３０を一定開度（例えば全開状態）まで開放する（ＳＴＥＰ１８）。暖房バイパス弁３０を開いた状態で循環ポンプ２２を駆動すると、熱交換器２０、シスターン２６、循環ポンプ２２の間を温水が循環する（図１を参照）。また、このとき、ガスバーナー１０は燃焼していないので、循環するうちに温水が混合して温水の温度が均一化する。
【００２６】
続いてコントローラ４０は、循環ポンプ２２の駆動を開始してから第２閾値時間が経過したか否かを判断する（ＳＴＥＰ２０）。前述したようにコントローラ４０にはタイマーが内蔵されているので、循環ポンプ２２の駆動を介してから第２閾値時間が経過したか否かを判断することができる。また、第２閾値時間は、ガスバーナー１０の燃焼を停止したまま循環ポンプ２２で温水を循環させたときに、温水の温度が均一化する程度の時間（例えば６０秒）に設定されている。尚、本実施例の温水暖房装置１では、循環する温水がシスターン２６を経由しているので、シスターン２６内で温水の混合が促進される。このため、第２閾値時間を比較的短い時間に設定することができる。
【００２７】
また、循環ポンプ２２の駆動を開始する際には、熱交換器２０がほぼ常温まで冷めている場合（ＳＴＥＰ１２で「ｙｅｓ」と判断した場合）と、熱交換器２０がまだ冷めていない場合（ＳＴＥＰ１２で「ｎｏ」と判断した場合）とが存在する。熱交換器２０が常温付近まで冷めている場合でも循環ポンプ２２の駆動を開始するのは、熱交換器２０の上の方にある温水と下の方にある温水とで温度差が生じている可能性があるので、温水の温度を均一化するためである。もっとも、熱交換器２０がほぼ常温まで冷えている場合は、熱交換器２０が冷えていない場合よりも温水の温度が均一化しやすいと考えられる。そこで、熱交換器２０が冷えている場合は、熱交換器２０が冷えていない場合よりも、第２閾値時間を短い時間に設定しても良い。
【００２８】
コントローラ４０は、循環ポンプ２２の駆動を開始してからまだ第２閾値時間が経過していないと判断した場合は（ＳＴＥＰ２０：ｎｏ）、同じ判断を繰り返すことによってそのまま待機状態となる。そして、第２閾値時間が経過したと判断したら（ＳＴＥＰ２０：ｙｅｓ）、今度は、暖房用燃焼ファン１４が駆動中である否かを判断する（ＳＴＥＰ２２）。その結果、暖房用燃焼ファン１４が駆動中の場合は（ＳＴＥＰ２２：ｙｅｓ）、暖房用燃焼ファン１４を停止した後（ＳＴＥＰ２４）、暖房用燃焼ファン１４を停止してから第３閾値時間が経過したか否かを判断する（ＳＴＥＰ２６）。暖房用燃焼ファン１４の駆動中は、暖房用燃焼ファン１４からの風の当たり方の違いによって、熱交換器２０内の温水に温度差が発生している可能性がある。そこで、暖房用燃焼ファン１４の停止後は第３閾値時間をおくことによって、この温度差を解消する。尚、本実施例の温水暖房装置１では、第３閾値時間として約３０秒の時間が設定されている。また、コントローラ４０は、第３閾値時間が経過したか否かについても、内蔵したタイマーを用いて判断する。
【００２９】
その結果、暖房用燃焼ファン１４を停止してから第３閾値時間が経過していない場合は（ＳＴＥＰ２６：ｎｏ）、同じ判断を繰り返すことによって待機状態となる。そして、第３閾値時間が経過したと判断したら（ＳＴＥＰ２６：ｙｅｓ）、高温温度センサー３２および低温温度センサー３４を用いて、熱交換器２０の下流側（往通路２４ａ内）の温水の温度と、熱交換器２０の上流側（戻通路２４ｂ内）の温水の温度とを検出する（図３のＳＴＥＰ２８）。一方、ＳＴＥＰ２２で暖房用燃焼ファン１４を駆動していないと判断した場合は（ＳＴＥＰ２２：ｎｏ）、暖房用燃焼ファン１４を停止したり、第３閾値時間の経過を確認したりすることなく、熱交換器２０の上流側および下流側での温水の温度を検出する（ＳＴＥＰ２８）。上述したように、循環ポンプ２２を用いて温水を循環させて温水の温度を均一化しているので、高温温度センサー３２と低温温度センサー３４とはほぼ同じ温度を検出する筈である。逆に言えば、検出した温度が大きく異なっている場合、高温温度センサー３２あるいは低温温度センサー３４の何れかに異常が発生したものと判断できる。
【００３０】
そこでコントローラ４０は、高温温度センサー３２で検出した温度と低温温度センサー３４で検出した温度との温度差を算出して、得られた温度差が閾値温度（例えば１０℃）以上であるか否かを判断する（ＳＴＥＰ３０）。その結果、温度差が閾値温度よりも大きかった場合は（ＳＴＥＰ３０：ｙｅｓ）、高温温度センサー３２あるいは低温温度センサー３４の何れかに異常が発生したものと判断してエラー停止状態、すなわち、エラー表示を行うとともに温水暖房装置１が運転できない状態にする（ＳＴＥＰ３２）。そして、循環ポンプ２２を停止し（ＳＴＥＰ３４）、暖房バイパス弁３０を閉じて（ＳＴＥＰ３６）、図２および図３の温度センサー異常判定処理を終了する。尚、ガスバーナー１０の非燃焼時に循環ポンプ２２を作動させて、高温温度センサー３２および低温温度センサー３４での温度差を検出する処理や、検出した温度差に基づいて異常の有無を判定する処理は、コントローラ４０が行っている。従って、本実施例においてはコントローラ４０が、本発明の「温度差検出手段」および「異常判定手段」に対応する。
【００３１】
一方、ＳＴＥＰ３０において、高温温度センサー３２で検出した温度と低温温度センサー３４で検出した温度との温度差が、閾値温度よりも小さいと判断した場合は（ＳＴＥＰ３０：ｎｏ）、高温温度センサー３２および低温温度センサー３４は何れも正常と判断できる。そこで、循環ポンプ２２を停止した後（ＳＴＥＰ３４）、暖房バイパス弁３０を閉じて（あるいは初期開度に戻して）（ＳＴＥＰ３６）、図２および図３の温度センサー異常判定処理を終了する。
【００３２】
以上のように本実施例の温水暖房装置１は、ガスバーナー１０の非燃焼時に、循環ポンプ２２で温水を循環させて温水の温度を均一化した上で、高温温度センサー３２および低温温度センサー３４で温度を検出し、その温度差に基づいて異常の有無を判定する。ガスバーナー１０の燃焼が停止した後に自然冷却させて温水の温度を均一化するのとは異なり、循環ポンプ２２で温水を循環させて温度を均一化にするのであれば短時間で均一化することができる。このため、高温温度センサー３２および低温温度センサー３４の異常の有無を短時間で判定することが可能となる。
【００３３】
また、温水を循環させて温度を均一化した場合、均一化された温度は、熱交換器２０から流出する側（下流側）の温度と、熱交換器２０に流入する側（上流側）の温度との間の温度となる。このため、自然冷却させて温水の温度を均一化した場合とは異なり、温水暖房装置１が運転中の温水の温度に近い温度で異常の有無を判定できるので、高温温度センサー３２および低温温度センサー３４の異常の有無を、高い精度で判定することが可能となる。
【００３４】
更に、自然冷却させて温水の温度を均一化した場合には、熱交換器２０の上の方と下の方とで温水の温度差が生じるので、高温温度センサー３２が設けられた箇所と、低温温度センサー３４が設けられた箇所とで、温水の温度を均一にすることが難しい。これに対して循環ポンプ２２で温水を循環させるのであれば、高温温度センサー３２が設けられた箇所と低温温度センサー３４が設けられた箇所とで、温水の温度を均一にすることができる。その結果、高温温度センサー３２および低温温度センサー３４の異常の有無を精度良く判定することが可能となる。
【００３５】
Ｃ．変形例  ：
以上では、循環回路２４に高温端末２および低温端末３が接続された温水暖房装置１について説明した。しかし本願発明は、風呂の追い焚き機能を備えた温水暖房装置１に対しても適用することができる。図４には、風呂の追い焚き機能を備えた変形例の温水暖房装置１が例示されている。変形例の温水暖房装置１は、図１を用いて前述した本実施例の温水暖房装置１に加えて、風呂用熱交換器５０や、風呂用熱交換器５０の一次側に温水を供給するための追い焚き弁５９を備えている。また、風呂用熱交換器５０の二次側には、風呂用循環ポンプ５２が設けられて、風呂４内の温水を風呂用熱交換器５０に送り込み、風呂用熱交換器５０で温められた温水を風呂４に戻す風呂用の循環回路が形成されている。
【００３６】
このような温水暖房装置１で風呂４の追い焚きを行う場合には、風呂用循環ポンプ５２を駆動して、風呂４の温水を風呂用熱交換器５０の二次側に循環させ、更に、追い焚き弁５９を開いて、熱交換器２０で加熱した温水を風呂用熱交換器５０の一次側に導くことによって、二次側で循環する風呂４の温水を加熱する。このとき、一次側の温水は熱を奪われて冷やされた状態で熱交換器２０に戻される。この場合でも、適切に追い焚きを行うためには、熱交換器２０の高温温度センサー３２および低温温度センサー３４が正しい温度を検出する必要がある。従って、図４に例示した変形例の温水暖房装置１においても、図２および図３に示した温度センサー異常判定処理を行うことで、高温温度センサー３２および低温温度センサー３４の異常の有無を判定することができる。
【００３７】
以上、本実施例の温水暖房装置１について説明したが、本発明は上記の実施例に限られるものではなく、その要旨を逸脱しない範囲において種々の態様で実施することが可能である。
【符号の説明】
【００３８】
１…温水暖房装置、          ２…高温端末、              ３…低温端末、
４…風呂、                  １０…ガスバーナー、        １２…ガス電磁弁、
１４…暖房用燃焼ファン、    ２０…熱交換器、            ２２…循環ポンプ、
２４…循環回路、            ２４ａ…往通路、            ２４ｂ…戻通路、
２６…シスターン、          ２８…低温暖房端末弁、      ３０…暖房バイパス弁、
３２…高温温度センサー、    ３４…低温温度センサー、    ４０…コントローラ、
５０…風呂用熱交換器、      ５２…風呂用循環ポンプ、    ５９…追い焚き弁
【図１】
0005797043.tif 000002
【図２】
0005797043.tif 000003
【図３】
0005797043.tif 000004
【図４】
0005797043.tif 000005